(57)【特許請求の範囲】
【請求項１】
カラーインク及びメタルインクを有するインクリボンから、カラー転写画像データによる前記カラーインクのカラー転写画像と、透かし転写画像データによる前記メタルインクのメタル転写画像とを、この順に中間転写フィルムに重畳転写して中間画像を形成するサーマルヘッドと、
カードに対し、前記中間転写フィルムから前記中間画像を再転写して視認方向に応じて視認可能となる部分である透かし部分付きの画像を形成する再転写部と、
前記透かし部分に対応した第１の画像データと、前記透かし部分の背景となる所定領域が、前記カラーインクのみが転写される第１の画素と前記カラーインク及び前記メタルインクが転写される第２の画素とが分散混在する領域となるよう前記メタルインクを転写させる基本転写パターンの画像データと、を合成して、前記透かし転写画像データを生成し前記サーマルヘッドに送出するメタル画像データ送出部と、
前記カラー転写画像に対応した第２の画像データ及び前記基本転写パターンの画像データに基づいて前記カラー転写画像データを生成し前記サーマルヘッドに送出するカラー画像データ送出部と、
を備えたことを特徴とする再転写印刷装置。
【請求項２】
前記基本転写パターンは、市松模様状のパターンであることを特徴とする請求項１記載の再転写印刷装置。
【請求項３】
前記カラー画像データ送出部は、
前記第２の画像データから、前記基本転写パターンの画像データに基づく前記第１の画素及び前記第２の画素それぞれへの前記カラーインクの転写を予め設定された転写パターンで行う前記カラー転写画像データを生成することを特徴とする請求項１又は請求項２記載の再転写印刷装置。
【請求項４】
前記カラーインクが、イエローインク、マゼンタインク及びシアンインクを含む場合、
前記転写パターンは、前記所定領域において、前記イエローインクを前記第１の画素及び前記第２の画素の一方のみに転写し、前記マゼンタインク及び前記シアンインクを他方のみに転写するパターンであることを特徴とする請求項３記載の再転写印刷装置。
【請求項５】
カラーインク及びメタルインクを有するインクリボンから、カラー転写画像データによる前記カラーインクのカラー転写画像と、透かし転写画像データによる前記メタルインクのメタル転写画像とを、この順に中間転写フィルムに重畳転写して中間画像を形成するサーマルヘッドと、
カードに対し、前記中間転写フィルムから前記中間画像を再転写して視認方向に応じて視認可能となる部分である透かし部分付きの画像を形成する再転写部と、
を備えた再転写印刷装置に対して、前記カラー転写画像データ及び前記透かし転写画像データを送出するようコンピュータ装置を動作させるプリンタドライバプログラムであって、
前記コンピュータ装置を、
前記透かし部分に対応した第１の画像データと、前記透かし部分の背景となる所定領域が、前記カラーインクのみが転写される第１の画素と前記カラーインク及び前記メタルインクが転写される第２の画素とが分散混在する領域となるよう前記メタルインクを転写させる基本転写パターンの画像データと、を合成して、前記透かし転写画像データを生成し前記サーマルヘッドに送出するメタル画像データ送出部と、
前記カラー転写画像に対応した第２の画像データ及び前記基本転写パターンの画像データに基づいて前記カラー転写画像データを生成し前記サーマルヘッドに送出するカラー画像データ送出部
として機能させることを特徴とするプリンタドライバプログラム。
【請求項６】
再転写印刷装置と、前記再転写印刷装置に画像データを送出するプリンタドライバを有するコンピュータと、を含んで構成される印刷システムであって、
前記再転写印刷装置は、
カラーインク及びメタルインクを有するインクリボンから、カラー転写画像データによる前記カラーインクのカラー転写画像と、透かし転写画像データによる前記メタルインクのメタル転写画像とを、この順に中間転写フィルムに重畳転写して中間画像を形成するサーマルヘッドと、
カードに対し、前記中間転写フィルムから前記中間画像を再転写して視認方向に応じて視認可能となる部分である透かし部分付きの画像を形成する再転写部と、
を備え、
前記プリンタドライバは、
前記透かし部分に対応した第１の画像データと、前記透かし部分の背景となる所定領域が、前記カラーインクのみが転写される第１の画素と前記カラーインク及び前記メタルインクが転写される第２の画素とが分散混在する領域となるよう前記メタルインクを転写させる基本転写パターンの画像データと、を合成して、前記透かし転写画像データを生成し前記サーマルヘッドに送出するメタル画像データ送出部と、
前記カラー転写画像に対応した第２の画像データ及び前記基本転写パターンの画像データに基づいて前記カラー転写画像データを生成し前記サーマルヘッドに送出するカラー画像データ送出部
と、
を有することを特徴とする印刷システム。
【請求項７】
制御部の指示の下、サーマルヘッドによって、カラーインク及びメタルインクを有するインクリボンから、カラー転写画像データによる前記カラーインクのカラー転写画像と、透かし転写画像データによる前記メタルインクのメタル転写画像とを、この順に中間転写フィルムに重畳転写して中間画像を形成した後、再転写部によって、カードに対し、前記中間転写フィルムから前記中間画像を再転写して視認方向に応じて視認可能となる部分である透かし部分付きの画像を形成する再転写印刷方法であって、
前記透かし転写画像データは、
前記制御部のメタル画像データ送出部が、前記透かし部分に対応した第１の画像データと、前記透かし部分の背景となる所定領域が、前記カラーインクのみが転写される第１の画素と前記カラーインク及び前記メタルインクが転写される第２の画素とが分散混在する領域となるよう前記メタルインクを転写させる基本転写パターンの画像データと、を合成して生成して前記サーマルヘッドに送出し、
前記カラー転写画像データは、
前記制御部のカラー画像データ送出部が、前記カラー転写画像に対応した第２の画像データ及び前記基本転写パターンの画像データに基づいて生成し前記サーマルヘッドに送出することを特徴とする再転写印刷方法。
【請求項８】
請求項７に記載の再転写印刷方法を用いて前記透かし部分付きの画像が形成されたカードを製造するカードの製造方法。
【発明の詳細な説明】
【技術分野】
【０００１】
本発明は、再転写印刷装置，プリンタドライバプログラム，再転写印刷方法，印刷システム，及びカードの製造方法に係る。特に、メタルインクを用いて転写体に透かし部分付きカラー画像を印刷する再転写印刷装置，プリンタドライバプログラム，印刷システム，及び再転写印刷方法と、メタルインクを用いて印刷された透かし部分付きカラー画像を有するカードの製造方法と、に関する。
【背景技術】
【０００２】
印刷対象である転写体に画像を印刷する印刷装置として、インクリボンのインクを、サーマルヘッドによって昇華又は溶融させて、中間転写フィルムに画像を転写形成し、その転写形成した画像を、カードに再度転写印刷させる再転写装置が知られており、特許文献１に記載されている。
この再転写装置は、インクリボンとして、例えば、Ｙ（イエロー），Ｍ（マゼンタ），Ｃ（シアン），及びＢ（ブラック）の四色のインク層を有するものを用い、各インク層のインクを順次中間転写フィルムに重畳転写させて無光沢のカラー画像を形成する。そして、形成した画像をカードに再度転写印刷することで、そのカードにカラー画像を形成できる。
【０００３】
また、インクリボンとして、Ｂ色のインク層の替わりに、又は五色目のインク層として、金属光沢が視認されるメタルインクのインク層を有するものを用い、特許文献１の記載と同様の転写及び再転写印刷を行って、カードの表面に光沢付きカラー画像を形成する技術も知られている。メタルインクは一般に銀インクなどとも称される。
【０００４】
この光沢付きカラー画像を形成する技術は、特許文献２に記載されている。
以下、画像を印刷形成する対象物を転写体と称し、転写体に形成された画像を、形成画像とも称する。転写体の一例がカードである。
【先行技術文献】
【特許文献】
【０００５】
【特許文献１】特許第４３３７５８２号公報
【特許文献２】特許第３３７３７１４号公報
【発明の概要】
【発明が解決しようとする課題】
【０００６】
光沢付きカラー画像を形成したカードは、視認方向に応じて光沢部分の反射光強度が異なって見え方が変化する。そのため、光沢部分をいわゆる透かし部分とすることで特殊効果（透かし効果）が得られる、セキュリティ性が向上する、などの理由で注目度の高いカードである。
【０００７】
ここで、透かし部分とは、カードを視認観察したときに、視認できる視認可能方向と、実質的に視認不可となる視認困難方向と、を生じる部分である。従って、透かし部分ではない非透かし部分は、視認困難方向が存在しない。
また、透かし効果とは、透かし部分が視認方向によって視認可と視認不可との間で状態遷移する効果を言う。
【０００８】
特許文献１及び２の技術によれば、比較的安価に透かし部分付きカラー画像を形成したカードなどの転写体を提供できる。
しかしながら、非透かし部分の明度（濃度）などによっては、透かし効果が十分に得られない、など、改善が望まれる点もあり、透かし効果をより良好に発揮させるための技術については、ほとんど検討されていなかった。
【０００９】
そこで、本発明が解決しようとする課題は、良好な透かし効果が得られる透かし部分付きカラー画像を転写体に印刷形成する、再転写印刷装置，印刷システム，プリンタドライバプログラム，印刷システム，再転写印刷方法を提供することにある。また、良好な透かし効果が得られる透かし部分付きカラー画像が形成された被印刷物を製造するためのカードの製造方法を提供することにある。
【課題を解決するための手段】
【００１０】
上記の課題を解決するために、本発明は次の構成又は手順を有する。
１）  カラーインク及びメタルインクを有するインクリボンから、カラー転写画像データによる前記カラーインクのカラー転写画像と、透かし転写画像データによる前記メタルインクのメタル転写画像とを、この順に中間転写フィルムに重畳転写して中間画像を形成するサーマルヘッドと、
カードに対し、前記中間転写フィルムから前記中間画像を再転写して視認方向に応じて視認可能となる部分である透かし部分付きの画像を形成する再転写部と、
前記透かし部分に対応した第１の画像データと、前記透かし部分の背景となる所定領域が、前記カラーインクのみが転写される第１の画素と前記カラーインク及び前記メタルインクが転写される第２の画素とが分散混在する領域となるよう前記メタルインクを転写させる基本転写パターンの画像データと、を合成して、前記透かし転写画像データを生成し前記サーマルヘッドに送出するメタル画像データ送出部と、
前記カラー転写画像に対応した第２の画像データ及び前記基本転写パターンの画像データに基づいて前記カラー転写画像データを生成し前記サーマルヘッドに送出するカラー画像データ送出部と、
を備えたことを特徴とする再転写印刷装置である。
２）  前記基本転写パターンは、市松模様状のパターンであることを特徴とする１）に記載の再転写印刷装置である。
３）  前記カラー画像データ送出部は、
前記第２の画像データから、前記基本転写パターンの画像データに基づく前記第１の画素及び前記第２の画素それぞれへの前記カラーインクの転写を予め設定された転写パターンで行う前記カラー転写画像データを生成することを特徴とする１）又は２）に記載の再転写印刷装置である。
４）  前記カラーインクが、イエローインク、マゼンタインク及びシアンインクを含む場合、
前記転写パターンは、前記所定領域において、前記イエローインクを前記第１の画素及び前記第２の画素の一方のみに転写し、前記マゼンタインク及び前記シアンインクを他方のみに転写するパターンであることを特徴とする３）に記載の再転写印刷装置である。
５）  カラーインク及びメタルインクを有するインクリボンから、カラー転写画像データによる前記カラーインクのカラー転写画像と、透かし転写画像データによる前記メタルインクのメタル転写画像とを、この順に中間転写フィルムに重畳転写して中間画像を形成するサーマルヘッドと、
カードに対し、前記中間転写フィルムから前記中間画像を再転写して視認方向に応じて視認可能となる部分である透かし部分付きの画像を形成する再転写部と、
を備えた再転写印刷装置に対して、前記カラー転写画像データ及び前記透かし転写画像データを送出するようコンピュータ装置を動作させるプリンタドライバプログラムであって、
前記コンピュータ装置を、
前記透かし部分に対応した第１の画像データと、前記透かし部分の背景となる所定領域が、前記カラーインクのみが転写される第１の画素と前記カラーインク及び前記メタルインクが転写される第２の画素とが分散混在する領域となるよう前記メタルインクを転写させる基本転写パターンの画像データと、を合成して、前記透かし転写画像データを生成し前記サーマルヘッドに送出するメタル画像データ送出部と、
前記カラー転写画像に対応した第２の画像データ及び前記基本転写パターンの画像データに基づいて前記カラー転写画像データを生成し前記サーマルヘッドに送出するカラー画像データ送出部
として機能させることを特徴とするプリンタドライバプログラムである。
６）  再転写印刷装置と、前記再転写印刷装置に画像データを送出するプリンタドライバを有するコンピュータと、を含んで構成される印刷システムであって、
前記再転写印刷装置は、
カラーインク及びメタルインクを有するインクリボンから、カラー転写画像データによる前記カラーインクのカラー転写画像と、透かし転写画像データによる前記メタルインクのメタル転写画像とを、この順に中間転写フィルムに重畳転写して中間画像を形成するサーマルヘッドと、
カードに対し、前記中間転写フィルムから前記中間画像を再転写して視認方向に応じて視認可能となる部分である透かし部分付きの画像を形成する再転写部と、
を備え、
前記プリンタドライバは、
前記透かし部分に対応した第１の画像データと、前記透かし部分の背景となる所定領域が、前記カラーインクのみが転写される第１の画素と前記カラーインク及び前記メタルインクが転写される第２の画素とが分散混在する領域となるよう前記メタルインクを転写させる基本転写パターンの画像データと、を合成して、前記透かし転写画像データを生成し前記サーマルヘッドに送出するメタル画像データ送出部と、
前記カラー転写画像に対応した第２の画像データ及び前記基本転写パターンの画像データに基づいて前記カラー転写画像データを生成し前記サーマルヘッドに送出するカラー画像データ送出部
と、
を有することを特徴とする印刷システムである。
７）  制御部の指示の下、サーマルヘッドによって、カラーインク及びメタルインクを有するインクリボンから、カラー転写画像データによる前記カラーインクのカラー転写画像と、透かし転写画像データによる前記メタルインクのメタル転写画像とを、この順に中間転写フィルムに重畳転写して中間画像を形成した後、再転写部によって、カードに対し、前記中間転写フィルムから前記中間画像を再転写して視認方向に応じて視認可能となる部分である透かし部分付きの画像を形成する再転写印刷方法であって、
前記透かし転写画像データは、
前記制御部のメタル画像データ送出部が、前記透かし部分に対応した第１の画像データと、前記透かし部分の背景となる所定領域が、前記カラーインクのみが転写される第１の画素と前記カラーインク及び前記メタルインクが転写される第２の画素とが分散混在する領域となるよう前記メタルインクを転写させる基本転写パターンの画像データと、を合成して生成して前記サーマルヘッドに送出し、
前記カラー転写画像データは、
前記制御部のカラー画像データ送出部が、前記カラー転写画像に対応した第２の画像データ及び前記基本転写パターンの画像データに基づいて生成し前記サーマルヘッドに送出することを特徴とする再転写印刷方法である。
８）  ７）に記載の再転写印刷方法を用いて前記透かし部分付きの画像が形成されたカードを製造するカードの製造方法である。
【発明の効果】
【００１１】
本発明によれば、良好な透かし効果が得られる透かし部分付きカラー画像を転写体に印刷形成できる。また、良好な透かし効果が得られる透かし部分付きカラー画像が表面に形成された被印刷物を製造することができる。
【図面の簡単な説明】
【００１２】
【図１】図１は、本発明の実施の形態に係る印刷装置の実施例１である印刷装置ＰＲを説明するための図である。
【図２】図２は、印刷装置ＰＲの構成を説明するためのブロック図である。
【図３】図３は、印刷装置ＰＲに用いるインクリボン１１を説明するための図であり、（ａ）は平面図、（ｂ）は側面図である。
【図４】図４は、印刷装置ＰＲに用いる中間転写フィルム２１を説明するための図であり、（ａ）は平面図、（ｂ）は側面図である。
【図５】図５は、印刷装置ＰＲのサーマルヘッド１６によるインクリボン１１と中間転写フィルム２１との圧接を説明するための図である。
【図６】図６は、サーマルヘッド１６を説明するための図である。
【図７】図７は、転写画像情報Ｊ３を説明するための図である。
【図８】図８は、カラー画像データ送出部ＣＴ１及びメタル画像データ送出部ＣＴ２の動作を説明するためのフロー図である。
【図９】図９は、基本転写パターンＰｔＳを説明するための模式図である。
【図１０】図１０は、透かし転写画像Ｐｔを説明するための模式図である。
【図１１】図１１は、透かし転写合成画像ＰｔＧを説明するための模式図である。
【図１２】図１２は、転写パターンＣＰＡ〜ＣＰＥを説明するための表である。
【図１３】図１３は、転写パターンＣＰＢにおける成分分離設定方法を説明するための図である。
【図１４】図１４は、中間転写フィルム２１に中間画像Ｐを転写形成する動作を説明するための第１の図である。
【図１５】図１５は、中間転写フィルム２１に中間画像Ｐを転写形成する動作を説明するための第２の図である。
【図１６】図１６は、中間転写フィルム２１に中間画像Ｐを転写形成する動作を説明するための第３の図である。
【図１７】図１７は、中間転写フィルム２１に中間画像Ｐを転写形成する動作を説明するための第４の図である。
【図１８】図１８は、転写パターンＣＰＢにおける転写状態を説明するための第１の図である。
【図１９】図１９は、転写パターンＣＰＢにおける転写状態を説明するための第２の図である。
【図２０】図２０は、中間転写フィルム２１に中間画像Ｐを転写形成する動作を説明するための第５の図である。
【図２１】図２１は、転写パターンＣＰＢにおける転写状態を説明するための第３の図である。
【図２２】図２２は、中間転写フィルム２１に形成された中間画像Ｐを説明するための模式的断面図である。
【図２３】図２３は、中間画像Ｐを再転写した後の中間転写フィルム２１を説明するための平面図である。
【図２４】図２４は、中間画像Ｐの再転写で形成画像Ｐｃが形成されたカード３１を説明するための模式的断面図である。
【図２５】図２５は、カード３１に形成された形成画像ＰｃにおけるメタルインクＳの反射光について説明する模式的断面図である。
【図２６】図２６は、透かし転写画像Ｐｔの見え方の違いを説明するための第１の概念図である。
【図２７】図２７は、透かし転写画像Ｐｔの見え方の違いを説明するための第２の概念図である。
【図２８】図２８は、透かし転写画像Ｐｔの見え方を説明するための第１の図である。
【図２９】図２９は、透かし転写画像Ｐｔの見え方を説明するための第２の図である。
【図３０】図３０は、透かし転写画像Ｐｔの見え方を説明するための第３の図である。
【図３１】図３１は、透かし転写画像Ｐｔの見え方を説明するための第４の図である。
【図３２】図３２は、透かし転写画像Ｐｔの見え方を説明するための第５の図である。
【図３３】図３３は、透かし転写画像Ｐｔの見え方を説明するための第６の図である。
【図３４】図３４は、実施例２の印刷システムＳＹの構成を説明するためのブロック図である。
【発明を実施するための形態】
【００１３】
まず、本発明の実施の形態に係る印刷装置の実施例１を印刷装置ＰＲとし、図１〜図３３を参照して説明する。
【００１４】
（実施例１）
実施例１の印刷装置ＰＲは、例えば再転写方式の印刷装置であって、いわゆるカードを被印刷物として製造するカードプリンタである。
印刷装置ＰＲは、図１に示されるように、筐体ＰＲａと、筐体ＰＲａの内部に収められた転写装置５１と、再転写装置５２と、を有している。
印刷装置ＰＲは、透かし部分がない通常の画像の転写印刷と、透かし部分のある透かし部分付き画像の転写印刷と、の両方を実行可能とされている。
【００１５】
印刷装置ＰＲは、転写装置５１において、インクリボン１１のインクを転写体である中間転写フィルム２１に転写し、画像を形成する。さらに、再転写装置５２において、中間転写フィルム２１に転写形成された画像を、別の転写体であるカード素材３１ａに再転写して、画像が印刷形成されたカード３１を形成する。
転写装置５１は、インクリボン１１用の供給リール１２及び巻き取りリール１３を装脱自在に取り付け可能である。
取り付けられた供給リール１２及び巻き取りリール１３は、それぞれ駆動用のモータＭｔ１２及びモータＭｔ１３の駆動により回転する。モータＭｔ１２，Ｍｔ１３の回転速度及び回転方向は、印刷装置ＰＲに備えられた制御部ＣＴにより制御される。
【００１６】
インクリボン１１は、供給リール１２と巻き取りリール１３との間で、複数のガイドシャフト１４に案内され所定の走行経路に掛け渡される。
インクリボン１１の走行経路の途中には、頭出し用のインクリボンセンサ１５が配置されている。
インクリボンセンサ１５は、インクリボン１１の頭出しマーク（図示せず）を検出し、リボンマーク検出情報Ｊ１（図２参照）を制御部ＣＴに向け送出する。
インクリボン１１は、図３に示されるように、リボンベース１１ａと、リボンベース１１ａの一面側に形成されたイエローインクＩＹのインク層１１Ｙ，マゼンタインクＩＭのインク層１１Ｍ，シアンインクＩＣのインク層１１Ｃ，及び金属光沢の銀色を呈するメタルインクＳのインク層１１Ｓを有する。インクリボン１１の詳細は後述する。また、以下の説明において、イエローインクＩＹ，マゼンタインクＩＭ，及びシアンインクＩＣはそれぞれカラーインクＣＩＫとも称する。
【００１７】
図１において、インクリボン１１の走行経路におけるインクリボンセンサ１５と巻き取りリール１３との間に、サーマルヘッド１６が配置されている。
サーマルヘッド１６は、掛け渡されたインクリボン１１のリボンベース１１ａ側の面（図３参照）に対し離接する（図５の矢印Ｄａ方向）。
このサーマルヘッド１６の離接動作は、ヘッド離接駆動部Ｄ１６により制御部ＣＴの制御の下で実行される。
【００１８】
転写装置５１は、装填されたインクリボン１１に対する図１の左方側に、中間転写フィルム２１用の供給リール２２及び巻き取りリール２３が装脱自在に取り付け可能である。
取り付けられた供給リール２２及び巻き取りリール２３は、それぞれ駆動用のモータＭｔ２２及びモータＭｔ２３の駆動により回転する。モータＭｔ２２，Ｍｔ２３の回転速度及び回転方向は、制御部ＣＴにより制御される。
【００１９】
中間転写フィルム２１は、供給リール２２と巻き取りリール２３との間で、複数のガイドシャフト２４に案内されて所定の走行経路に掛け渡される。
中間転写フィルム２１の走行経路の途中には、頭出し用のフレームマークセンサ２５が配置されている。
フレームマークセンサ２５は、中間転写フィルム２１のフレームマークを検出し、フレームマーク検出情報Ｊ２（図２参照）を制御部ＣＴに向け送出する。
中間転写フィルム２１は光透過性を有する。例えば、フレームマークセンサ２５を光センサとし、フレームマークを光遮断する部分として形成して、光の透過と遮断との違いによりフレームマークを検出する。
【００２０】
中間転写フィルム２１の走行経路におけるフレームマークセンサ２５と供給リール２２との間には、モータＭｔ２６の駆動によって回転するプラテンローラ２６が配置されている。
モータＭｔ２６の回転速度及び回転方向は、制御部ＣＴにより制御される。
【００２１】
図５にも示されるように、サーマルヘッド１６は、ヘッド離接駆動部Ｄ１６による離接動作で、インクリボン１１に対して離接する。この離接動作をするのはプラテンローラ２６でもよく、サーマルヘッド１６とプラテンローラ２６とは相対的に離接すればよい。
詳しくは、サーマルヘッド１６は、インクリボン１１をプラテンローラ２６に向け押圧し、プラテンローラ２６との間に中間転写フィルム２１とインクリボン１１とを挟んで圧接させる圧接位置（図５に示される位置）と、インクリボン１１から離隔した離隔位置（図１に示される位置）と、の間を移動する。サーマルヘッド１６が圧接位置にあるときに、後述する転写が行われる。
【００２２】
インクリボン１１及び中間転写フィルム２１は、サーマルヘッド１６が離隔位置にある状態で、巻き取りリール１３，２３側への巻き取り及び供給リール１２，２２への巻き戻しがそれぞれ独立してできるようになっている。これは、それぞれ、モータＭｔ１２，Ｍｔ１３及びモータＭｔ２２，Ｍｔ２３の動作により実行される。
【００２３】
インクリボン１１及び中間転写フィルム２１は、サーマルヘッド１６が圧接位置にある状態で、互いに密着して供給リール側又は巻き取りリール側に移動可能となっている。この移動は、モータＭｔ１２，Ｍｔ１３，Ｍｔ２２，Ｍｔ２３及びモータＭｔ２６の駆動による供給リール１２，２２，巻き取りリール１３，２３、及びプラテンローラ２６の回転により制御部ＣＴの制御により実行される。
【００２４】
図１及び図２に示されるように、印刷装置ＰＲは、制御部ＣＴ，記憶部ＭＲ，及び通信部３７を備えている。通信部３７は、外部から送られるデータ等を入力するための入力部として機能する。
制御部ＣＴは、中央処理装置（ＣＰＵ）ＣＴａと、画像データ送出部ＣＴｂと、を有する。
図２に示されるように、画像データ送出部ＣＴｂは、カラー画像データ送出部ＣＴ１とメタル画像データ送出部ＣＴ２と、を有する。
【００２５】
外部のデータ機器３８からは、通信部３７を介して、制御部ＣＴに転写画像情報Ｊ３（図２及び図７参照）が供給される。供給された転写画像情報Ｊ３は、記憶部ＭＲに記憶され、制御部ＣＴにより適宜参照される。
記憶部ＭＲには、印刷装置ＰＲの全体の動作を制御するための動作プログラムと、予め設定されたメタルインクＳの基本転写パターンＰｔＳ（図９参照）を特定する画像データであるメタルパターンデータＳＮｓと、が記憶される。
【００２６】
転写画像情報Ｊ３は、図７に示されるように、カラーインクＣＩＫで転写する無光沢のカラー画像（以下、無光沢カラー画像とも称する）の画像データであるカラー画像データＳＮ１と、メタルインクＳで転写する画像の画像データであるメタル画像データＳＮ２と、を含んでいる。
【００２７】
画像データ送出部ＣＴｂは、メタル画像データＳＮ２が透かし部分のデータを含まない場合には、次のようにデータ生成などを実行する。
すなわち、画像データ送出部ＣＴｂは、外部から供給されたカラー画像データＳＮ１及びメタル画像データＳＮ２に基づき、転写のためのカラー転写画像データＳＮ１Ａ及びメタル転写画像データＳＮ２Ａを生成してサーマルヘッド１６に向け出力する。
また、画像データ送出部ＣＴｂは、メタル画像データＳＮ２が透かし部分のデータを含む場合には、次のようにデータ生成などを実行する。
すなわち、画像データ送出部ＣＴｂは、カラー画像データＳＮ１及びメタル画像データＳＮ２と、メタルパターンデータＳＮｓと、に基づいて、透かし部分付き画像の転写のためのカラー転写画像データＳＮ１Ｂ及び透かし転写画像データＳＮ２Ｂを生成し、サーマルヘッド１６に向け出力する。
【００２８】
より具体的に説明する。
カラー画像データ送出部ＣＴ１は、透かし部分なしの画像の転写を行う場合、カラー画像データＳＮ１に基づいて次の画像データを生成する。
すなわち、インク層１１ＹのイエローインクＩＹで転写する画像の画像データＳＮ１ｙ，インク層１１ＭのマゼンタインクＩＭで転写する画像の画像データＳＮ１ｍ，及びインク層１１ＣのシアンインクＩＣで転写する画像の画像データＳＮ１ｃを生成する。
そして、カラー画像データ送出部ＣＴ１は、画像データＳＮ１ｙ，ＳＮ１ｍ，ＳＮ１ｃを、カラー転写画像データＳＮ１Ａとしてサーマルヘッド１６に送出する。
【００２９】
カラー画像データ送出部ＣＴ１は、透かし部分付きの画像の転写を行う場合、カラー画像データＳＮ１及びメタルパターンデータＳＮｓに基づいて次の画像データを生成する。
すなわち、インク層１１Ｙのイエローインクで転写する画像の画像データＳＮ１Ｂｙ，インク層１１Ｍのマゼンタインクで転写する画像の画像データＳＮ１Ｂｍ，及びインク層１１Ｃのシアンインクで転写する画像の画像データＳＮ１Ｂｃを生成する。
そして、カラー画像データ送出部ＣＴ１は、画像データＳＮ１Ｂｙ，ＳＮ１Ｂｍ，ＳＮ１Ｂｃを、透かし部分付き画像用のカラー転写画像データＳＮ１Ｂとしてサーマルヘッド１６に送出する。
カラー転写画像データＳＮ１Ｂの生成方法については後述する。
【００３０】
メタル画像データ送出部ＣＴ２は、転写画像が、透かし効果を強調する必要のない画像（ここでは、便宜的に透かし部分なしの画像と称する）の場合は、透かし部分付き画像用の透かし転写画像データＳＮ２Ｂは生成しない。この場合、メタル画像データＳＮ２に基づいて、単に光沢感が得られる部分をメタルインクＳで転写するメタル転写画像データＳＮ２Ａを生成し、サーマルヘッド１６に送出する。
【００３１】
メタル画像データ送出部ＣＴ２は、転写画像が、透かし効果を強調する必要のある透かし部分付きの画像を転写する場合、メタルパターンデータＳＮｓ及びメタル画像データＳＮ２に基づいて、メタルインクＳで転写する透かし転写画像データＳＮ２Ｂを生成し、サーマルヘッド１６に送出する。透かし転写画像データＳＮ２Ｂの生成方法については後述する。
【００３２】
画像データ送出部ＣＴｂは、サーマルヘッド１６が圧接位置にあるとき、中間転写フィルム２１のフレームＦ（図４参照：詳細は後述）それぞれに転写するカラー転写画像データＳＮ１Ａ又はＳＮ１Ｂと、メタル転写画像データＳＮ２Ａ又は透かし転写画像データＳＮ２Ｂと、をサーマルヘッド１６へ適宜タイミングで供給する。
カラー転写画像データＳＮ１Ａ，ＳＮ１Ｂは、カラーインクＣＩＫの転写のためのデータである。また、メタル転写画像データＳＮ２Ａ及び透かし転写画像データＳＮ２Ｂは、メタルインクＳの転写のためのデータである。
カラー転写画像データＳＮ１Ａ，ＳＮ１Ｂ、並びに、メタル転写画像データＳＮ２Ａ及び透かし転写画像データＳＮ２Ｂの供給タイミングは、フレームマーク検出情報Ｊ２などに基づいて制御部ＣＴ全体として決定される。
【００３３】
インクリボン１１は、図３（ａ），（ｂ）に示されるように、帯状のリボンベース１１ａと、リボンベース１１ａ上に塗布形成されたインク層１１ｂと、を有している。
インクリボン１１は、インク層１１ｂとして、四種のインク層を有する。この四種のインク層を所定順に並べたインク組１１ｂ１が、インクリボン１１の延在方向（帯方向：矢印ＤＲａ参照）に繰り返し塗布されている。
具体的には、インク組１１ｂ１は、イエローインクＩＹのインク層１１Ｙ，マゼンタインクＩＭのインク層１１Ｍ，シアンインクＩＣのインク層１１Ｃ，及びメタルインクＳのインク層１１Ｓであり、この順で帯方向に塗布されている。
【００３４】
イエローインクＩＹ，マゼンタインクＩＭ，及びシアンインクＩＣは昇華型であり、光透過性を有する。また、昇華量が、サーマルヘッド１６によって加えられる熱量に応じて調整可能なので、転写画像の濃淡を、濃度階調で表現可能である。
【００３５】
メタルインクＳは、例えば灰色の溶融型インクであって、金属粒子又は金属フレークを含有して光沢性を有し、光不透過性である。金属は、例えばアルミニウム、銀である。
メタルインクＳの転写で転写体に形成されたメタルインク転写部は、入射光を狭指向性で概ね鏡面的に反射する。これにより、メタルインク転写部は、視認方向が概ね反射方向となった場合、金属光沢の銀色として視認される。
【００３６】
中間転写フィルム２１は、図４（ａ），（ｂ）に示されるように、帯状のフィルムベース２１ａと、フィルムベース２１ａ上に積層形成された、剥離層２１ｂ及び転写用受像層２１ｃを有している。
中間転写フィルム２１においてピッチＬｂにて一定間隔で区切られる領域がフレームＦである。
【００３７】
転写装置５１において、中間転写フィルム２１とインクリボン１１とは、図５に示されるように、転写用受像層２１ｃとインク層１１ｂとが直接対向する向きで掛け渡される。
転写用受像層２１ｃは、加熱により昇華したインク層１１Ｙ，１１Ｍ，１１Ｃのインク、及び加熱により溶融したインク層１１ＳのメタルインクＳを受容して固定する。
これにより、図５に示されるサーマルヘッド１６の圧接状態において、転写用受像層２１ｃに圧着したインク層１１ｂからインクが転写され、転写用受像層２１ｃに画像が印刷形成される。
【００３８】
この転写において、インク層１１Ｙ，１１Ｍ，１１Ｃの各カラーインクＣＩＫは、サーマルヘッド１６に供給されたカラー転写画像データＳＮ１Ａ又はカラー転写画像データＳＮ１Ｂに応じた加熱パターンで転写される。
また、インク層１１ＳのメタルインクＳは、サーマルヘッド１６に供給されたメタル転写画像データＳＮ２Ａ又は透かし転写画像データＳＮ２Ｂに応じた加熱パターンで転写される。
【００３９】
サーマルヘッド１６は、図６に示されるように、インクリボン１１の幅方向に整列配置されたｎ個の発熱抵抗体１６ａを有する。また、サーマルヘッド１６は、カラー転写画像データＳＮ１Ａ及びメタル転写画像データＳＮ２Ａ、又は、カラー転写画像データＳＮ１Ｂ及び透かし転写画像データＳＮ２Ｂに応じ、複数の発熱抵抗体１６ａそれぞれに独立して通電するヘッドドライバ１６ｂを有している。
【００４０】
転写する画像の帯方向（縦）におけるライン数（通電のＯＮとＯＦＦとを選択できる数に相当）をライン数ＬＮａとすると、被画像形成体である中間転写フィルム２１には、画像が、幅×縦＝ｍ×ＬＮａのドットで形成される。
ｍ個の発熱抵抗体１６ａは、ｎ個の内の少なくとも一方端の発熱抵抗体を除く連続するｍ個として選択される。
また、印刷装置ＰＲとして、例えば再転写する転写体の外形８６ｍｍ×５４ｍｍなるカードに３００ｄｐｉの画像を形成する場合、ｍは約１０００、ＬＮａの値は約６００とされる。
【００４１】
転写装置５１は、インクリボン１１と中間転写フィルム２１とを密着移動させて、サーマルヘッド１６の各発熱抵抗体１６ａを、カラーインクＣＩＫの転写ではカラー転写画像データＳＮ１Ａ又はＳＮ１Ｂに基づいて、また、メタルインクＳの転写ではメタル転写画像データＳＮ２Ａ又は透かし転写画像データＳＮ２Ｂに基づいて適宜加熱する。そして、インクリボン１１のインク層１１ｂの各インクを中間転写フィルム２１の転写用受像層２１ｃにおける同一のフレームＦに重畳転写させる。
これにより、転写用受像層２１ｃのフレームＦに所望の光沢付きカラー画像を転写形成することができる。この画像形成動作の詳細は、後述する。
【００４２】
図１に戻り、印刷装置ＰＲは、転写装置５１において転写体である中間転写フィルム２１の転写用受像層２１ｃに形成した画像（以下、中間画像Ｐとも称する）の一部を、さらに別の転写体であるカード素材３１ａに再転写してカード３１とする再転写装置５２を備えている。
【００４３】
再転写装置５２は、再転写部ＳＴ１と、再転写部ＳＴ１にカード素材３１ａを供給する供給部ＳＴ２と、再転写部ＳＴ１を通過したカード３１を搬出する搬出部ＳＴ３と、を有している。
供給部ＳＴ２は、カード素材３１ａの姿勢を９０°回動する姿勢転換部ＳＴ２ａを有する。供給部ＳＴ２は、さらに、スタッカ３２に立ち姿勢で装填された複数のカード素材３１ａの中から、図１の最右となる一枚を上方に持ち上げて、姿勢転換部ＳＴ２に供給する。
【００４４】
姿勢転換部ＳＴ２ａは、姿勢転換したカード素材３１ａを再転写部ＳＴ１に搬送供給する。
再転写部ＳＴ１において、カード素材３１ａは、中間転写フィルム２１と共に圧接挟持されながら、搬出部ＳＴ３に向け移動する。カード素材３１ａには、中間転写フィルム２１の転写用受像層２１ｃが圧接する。
【００４５】
この圧接移動で、転写装置５１によって転写用受像層２１ｃに形成された中間画像Ｐの一部の範囲が、カード素材３１ａに転写され形成画像Ｐｃが形成される。
すなわち、カード素材３１ａの表面上に形成画像として形成画像Ｐｃが再転写によって形成され、カード３１とされる。
【００４６】
記憶部ＭＲには、転写装置５１を含む印刷装置ＰＲの全体の動作を実行するための動作プログラム、及び転写する画像の情報である転写画像情報Ｊ３などが予め記憶される。記憶部ＭＲの記憶内容は、制御部ＣＴにより適宜参照される。
転写画像情報Ｊ３は、外部のデータ機器３８（図２参照）などから入力部である通信部３７を介して制御部ＣＴに供給され、記憶部ＭＲに記憶される。
【００４７】
次に、透かし部分付き画像を転写する際の、カラー転写画像データＳＮ１Ｂ及び透かし転写画像データＳＮ２Ｂの生成方法を、図８〜図２４を参照して詳述する。
印刷装置ＰＲは、透かし部分付きカラー画像と、透かし部分のない通常のカラー画像と、の両方の画像を選択的に転写体に印刷形成できる。
【００４８】
転写動作において、制御部ＣＴは、次に実行する転写が、透かし部分付きの転写であるか、透かし部分なしの転写であるかを判定する（図８：Ｓｔｅｐ１）。
この判定は、通信部３７を介した外部からの指示に基づいて行う。また、外部からの指示の替わりに、転写画像情報Ｊ３に透かし画像情報Ｊ３ａを含めておき、判定を、透かし画像情報Ｊ３ａに基づいて行うようにしてもよい。
透かし画像情報Ｊ３ａは、メタル画像データＳＮ２が透かし画像に対応したものであるか否かを示す情報である（図７に一点鎖線で記載）。
【００４９】
（Ｓｔｅｐ１）の判定が否（Ｎｏ）の場合、制御部ＣＴは、透かし部分のないカラー画像を転写形成する通常の転写動作を実行する（Ｓｔｅｐ２）。すなわち、カラー画像データ送出部ＣＴ１はカラー転写画像データＳＮ１Ａを生成し、メタル画像データ送出部ＣＴ２はメタル転写画像データＳＮ２Ａを生成し、それぞれを用いてカラーインクＣＩＫ及びメタルインクＳの転写動作を実行する。
【００５０】
（Ｓｔｅｐ１）の判定が是（Ｙｅｓ）の場合、制御部ＣＴは、透かし部分付きのカラー画像として形成画像Ｐｃを転写形成する透かし転写動作を実行する。
透かし転写動作におけるカラー画像データ送出部ＣＴ１及びメタル画像データ送出部ＣＴ２の処理は、並列処理となる。
【００５１】
まず、メタル画像データ送出部ＣＴ２の処理を先に説明する。
図８に示されるように、メタル画像データ送出部ＣＴ２は、記憶部ＭＲから、そこに記憶されているメタルパターンデータＳＮｓを読み込む（Ｓｔｅｐ２１）。
メタルパターンデータＳＮｓは、透かし転写動作においてメタルインクＳで転写する画像の基本となる基本転写パターンＰｔＳを特定するデータである。
【００５２】
図９は、基本転写パターンＰｔＳを説明するための模式図である。
基本転写パターンＰｔＳは、メタルインクＳで転写可能な最小画素サイズをメタル画素Ｍｇとし、形成画像Ｐｃの全体又は一部となる領域を、複数のメタル画素ＭｇのマトリックスＭで対応づけたときに、そのマトリックスＭに対し所定のパターンでメタルインクＳを転写させるものである。
図９では、マトリックスＭの例として、２５行×２５列の合計６２５個のメタル画素Ｍｇからなるものを示している。
また、ここで説明する例では、メタル画素Ｍｇのサイズと昇華型のカラーインクＣＩＫで転写可能な最小単位の画素とを同じとしてある。
【００５３】
図９に示されるマトリックスＭにおいて、６２５個のメタル画素Ｍｇのうち、メタルインクＳが転写されるメタル画素Ｍｇにハッチングを付してある。すなわち、マトリックスＭには、市松模様状の転写パターンでメタルインクＳが転写する例が示されており、この市松模様状の転写パターンが基本転写パターンＰｔＳである。
【００５４】
基本転写パターンＰｔＳでメタルインクＳを転写することで、マトリックスＭの全メタル画素に転写するいわゆるベタ転写をした場合と比べて、単位面積あたりのメタルインクＳの占有面積は概ね半分になる。
すなわち、マトリックスＭのすべてのメタル画素ＭｇにメタルインクＳを転写させた場合と比べて、基本転写パターンＰｔＳで転写させた場合、マトリックスＭ全領域での光の正反射強度は、概ね半分となる。
【００５５】
以下、基本転写パターンＰｔＳでのメタルインクＳの転写において、メタル画素Ｍｇのうち、メタルインクＳが転写される画素（ハッチング付）をメタル転写画素Ｍｇｙと称し、メタルインクＳが転写されない画素（白ヌキ）をメタル非転写画素Ｍｇｎと称する（図９参照）。
すなわち、基本転写パターンＰｔＳは、透かし転写画像Ｐｔを含む所定の画像領域において、メタル転写画素Ｍｇｙとメタル非転写画素Ｍｇｎとを、それぞれ分散して平均的に混在させるパターンとして設定される。
【００５６】
図８に戻り、メタル画像データ送出部ＣＴ２は、記憶部ＭＲから、そこに記憶されているメタル画像データＳＮ２を読み込む（Ｓｔｅｐ２２）。（Ｓｔｅｐ２１）と（Ｓｔｅｐ２２）との実行順は限定されず、逆でもよい。
【００５７】
メタル画像データＳＮ２は、透かし効果が発揮される透かし部分を特定する画像データである。
メタル画像データＳＮ２で転写される透かし部分（以下、透かし転写画像Ｐｔとも称する）の一例が、図１０に示されている。
この例において、透かし転写画像Ｐｔは、アルファベットの「Ｎ」を透かし効果をもって視認可能とする画像である。
すなわち、メタル画像データＳＮ２は、「Ｎ」を視認できるようにメタル転写画素Ｍｇｙの配置が決められたデータである。また、メタル画像データＳＮ２は、マトリックスＭに対するメタル転写画素Ｍｇｙの位置も決められている。
【００５８】
通常は、メタルパターンデータＳＮｓの転写領域サイズ及び画素の行列数と、メタル画像データＳＮ２の転写領域サイズ及び画素の行列数とを、たとえばマトリックスＭのように一致させておくので、透かし転写画像Ｐｔの転写位置及び転写領域に対する大きさは調整不要である。
もちろん、通信部３７を介した外部指示などによって、透かし転写画像Ｐｔの位置又は大きさを変更可能としてもよい。また、メタル画像データＳＮ２を、転写領域サイズを含めないデータとして、透かし転写画像Ｐｔの位置及び大きさを、外部指示によって設定するように構成してもよい。
【００５９】
図８に戻り、メタル画像データ送出部ＣＴ２は、読み込んだメタルパターンデータＳＮｓとメタル画像データＳＮ２とを合成して、透かし転写画像データＳＮ２Ｂを生成する（Ｓｔｅｐ２３）。
この透かし転写画像データＳＮ２Ｂにより転写される透かし転写合成画像ＰｔＧは、図１１に示される。
【００６０】
次に、カラー画像データ送出部ＣＴ１の処理を説明する。
図８において、カラー画像データ送出部ＣＴ１は、メタル画像データ送出部ＣＴ２と同様に、メタルパターンデータＳＮｓを記憶部ＭＲから読み込む（Ｓｔｅｐ１１）。
また、カラー画像データ送出部ＣＴ１は、記憶部ＭＲから、そこに記憶されているカラー画像データＳＮ１を読み込む（Ｓｔｅｐ１２）。
（Ｓｔｅｐ１１）と（Ｓｔｅｐ１２）との実行順は限定されず、逆でもよい。
【００６１】
カラー画像データ送出部ＣＴ１は、カラーインクＣＩＫの転写パターンＣＰを、予め設定された複数種の転写パターンＣＰから選択して設定する（Ｓｔｅｐ１３）。
複数種の転写パターンＣＰは、この例において、転写パターンＣＰＡ〜ＣＰＥの五種であり、図１２に示される。
転写パターンＣＰは、カラー画像データＳＮ１で特定されるカラー画像ＰｄをイエローインクＩＹ，マゼンタインクＩＭ，及びシアンインクＩＣで転写形成する際の各インクの転写位置を、画素単位で、メタルパターンデータＳＮｓにおけるメタル転写画素Ｍｇｙとメタル非転写画素Ｍｇｎとにパターン化して対応づけたものである。
【００６２】
図１２は、単にメタル転写画素Ｍｇｙ及びメタル非転写画素Ｍｇｎと、それぞれに転写するインクＩＹ，ＩＭ，ＩＣとの対応を示す表である。
図１２に示されるように、転写パターンＣＰＢ〜ＣＰＥにおいて、イエローインクＩＹ，マゼンタインクＩＭ，及びシアンインクＩＣは、それぞれについて、メタル転写画素Ｍｇｙ及びメタル非転写画素Ｍｇｎの一方が転写不可となる。
図１２では、転写不可の画素に対応するセルに×を記載し、転写可能の画素に対応するセルを、イエローインクＩＹの場合は白ヌキ、マゼンタインクＩＭの場合は通常のハッチング、シアンインクＩＣの場合はクロスハッチングとしている。
各転写パターンＣＰは、次に説明する通りである。
【００６３】
転写パターンＣＰＡは、イエローインクＩＹ，マゼンタインクＩＭ，及びシアンインクＩＣを、メタル非転写画素Ｍｇｎとメタル転写画素Ｍｇｙとのいずれにも転写可能とするパターンである。
【００６４】
転写パターンＣＰＢは、イエローインクＩＹをメタル非転写画素Ｍｇｎにのみ転写可能とし、マゼンタインクＩＭ及びシアンインクＩＣをメタル転写画素Ｍｇｙにのみ転写可能とするパターンである。
【００６５】
転写パターンＣＰＣは、イエローインクＩＹをメタル転写画素Ｍｇｙにのみ転写可能とし、マゼンタインクＩＭ及びシアンインクＩＣをメタル非転写画素Ｍｇｎにのみ転写可能とするパターンである。転写パターンＣＰＣは、転写パターンＣＰＢの逆のパターンとなっている。
【００６６】
転写パターンＣＰＤは、イエローインクＩＹ，マゼンタインクＩＭ，及びシアンインクＩＣを、メタル非転写画素Ｍｇｎにのみ転写可能とし、メタル転写画素ＭｇｙにはイエローインクＩＹ，マゼンタインクＩＭ，及びシアンインクＩＣを転写しないパターンである。
【００６７】
転写パターンＣＰＥは、イエローインクＩＹ，マゼンタインクＩＭ，及びシアンインクＩＣを、メタル転写画素Ｍｇｙにのみ転写可能とし、メタル非転写画素ＭｇｎにはイエローインクＩＹ，マゼンタインクＩＭ，及びシアンインクＩＣを転写しないパターンである。転写パターンＣＰＥは、転写パターンＣＰＤの逆のパターンとなっている。
【００６８】
このように、転写パターンＣＰＢ〜ＣＰＥでは、各インクＩＹ，ＩＭ，ＩＣを転写する際に、メタル非転写画素Ｍｇｎとメタル転写画素Ｍｇｙの内の一方を転写可能なメタル画素とし、他方を転写不可のメタル画素として設定する。
そのため、転写可としたメタル画素に対応する色成分をどのように設定するか、については、例えば次に説明する成分分離設定方法に基づいて設定するようになっている。
【００６９】
図１３は、例えば転写パターンＣＰＢによって各インクＩＹ，ＩＭ，ＩＣを転写する際の成分分離設定方法の例を説明するための図である。
図１３（ａ）は、カラーインクＣＩＫで転写可能な最小画素をカラー画素Ｒｇとし、転写領域を、複数のカラー画素ＲｇのマトリックスＭＲＳで対応づけたものである。
マトリックスＭＲＳは、この例において、４行５列の合計２０のカラー画素Ｒｇからなる。
また、マトリックスＭＲＳは、マトリックスＭの１〜４行、１〜５列の部分に対応するものとして記載してある。
従って、図１３（ａ）のマトリックスＭＲＳにおいて、ハッチングを付与したカラー画素Ｒｇは、メタル転写画素Ｍｇｙに対応し、白ぬきのカラー画素Ｒｇは、メタル非転写画素Ｍｇｎに対応している。
【００７０】
各カラー画素Ｒｇは、Ｒ（行・列）の符号で特定される。例えば、２行３列のカラー画素Ｒｇは、カラー画素Ｒ２３である。
各カラー画素Ｒｇには、イエロー，マゼンタ，及びシアンそれぞれの色成分情報が紐付されている。
すなわち、カラー画素Ｒ２３には、イエロー成分Ｙ２３，マゼンタ成分Ｍ２３，及びシアン成分Ｃ２３の情報が紐付けされている。
【００７１】
図１３（ｂ），（ｃ），（ｄ）は、それぞれ転写パターンＣＰＢによるイエローインクＩＹ，マゼンタインクＩＭ，シアンインクＩＣの転写パターンを示している。また、×付の画素は、転写パターンＣＰＢにおいて各インクでの転写を不可とした画素である。
すなわち、イエローインクＩＹは、図１３（ｂ）に示されるように、メタル非転写画素Ｍｇｎに対応するカラー画素Ｒｇのみに転写可能とされている。また、マゼンタインクＩＭ及びシアンインクＩＣは、図１３（ｃ）及び図１３（ｄ）に示されるように、メタル転写画素Ｍｇｙにのみ転写可能とされている。
【００７２】
カラー画像データ送出部ＣＴ１は、（Ｓｔｅｐ１３）で設定した転写パターンが、転写パターンＣＰＡ以外の転写パターンＣＰＢ〜ＣＰＥの場合に（Ｓｔｅｐ１４：Ｎｏ）、図１３（ｂ）〜（ｄ）に示されたインクＩＹ，ＩＭ，ＩＣの転写を実行させるための成分分離設定方法を選択設定する（Ｓｔｅｐ１６）。この例では、成分分離設定方法として、次に説明する間引き分離方法と、平均分離方法と、のいずれかを選択設定可能とされている。
【００７３】
＜間引き分離方法＞
マゼンタインクＩＭ及びシアンインクＩＣの転写には、それぞれ対応するカラー画素Ｒｇのマゼンタ成分及びシアン成分をそのまま適用する。
例えば、Ｍ１１及びＣ１１には、それぞれカラー画素Ｒ１１のマゼンタ成分及びシアン成分を適用する。また、Ｍ２２及びＣ２２には、それぞれカラー画素Ｒ２２のマゼンタ成分及びシアン成分を適用する。
【００７４】
一方、イエローインクＩＹの転写には、対応するカラー画素Ｒｇを含む行が、その１列目の画素が転写可能画素である場合、同じ行の列数の大きい側に隣接するカラー画素Ｒｇのイエロー成分を適用する。これは、図１３（ｂ）における偶数行が該当する。
また、対応するカラー画素Ｒｇを含む行が、その１列目の画素が転写不可画素である場合、同じ行の列数の小さい側に隣接するカラー画素Ｒｇのイエロー成分を適用する。これは、図１３（ｂ）における奇数行が該当する。
【００７５】
例えば、Ｙ１２及びＹ１４には、それぞれカラー画素Ｒ１１及びＲ１３のイエロー成分を適用する。また、Ｙ２１及びＹ２３には、それぞれカラー画素Ｒ２２及びＲ２４のイエロー成分を適用する。
【００７６】
＜平均分離方法＞
イエローインクＩＹの転写には、対応するカラー画素Ｒｇのイエロー成分と、そのカラー画素に対して同じ行で隣接するカラー画素Ｒｇのイエロー成分と、の平均値を適用する。
隣接するカラー画素は、対応するカラー画素Ｒｇを含む行が、その一列目の画素が転写可能画素である場合（図１３（ａ）における偶数行）、同じ行の列数の大きい側に隣接するカラー画素Ｒｇとする。
また、対応するカラー画素Ｒｇを含む行が、その一列目の画素が転写不可画素である場合（図１３（ａ）における奇数行）、隣接するカラー画素は、同じ行の列数の大きい側に隣接するカラー画素Ｒｇとする。
【００７７】
マゼンタインクＩＭの転写には、対応するカラー画素Ｒｇのマゼンタ成分と、そのカラー画素Ｒｇに対して同じ行で隣接するカラー画素Ｒｇのマゼンタ成分と、の平均値を適用する。
シアンインクＩＣの転写には、対応するカラー画素Ｒｇのシアン成分と、そのカラー画素Ｒｇに対して同じ行で隣接するカラー画素Ｒｇのシアン成分と、の平均値を適用する。
【００７８】
隣接するカラー画素Ｒｇは、対応するカラー画素Ｒｇを含む行が、その一列目の画素が転写可能画素の場合（図１３（ｃ），（ｄ）における奇数行）、同じ行の列数の大きい側に隣接するカラー画素Ｒｇとする。
また、対応するカラー画素Ｒｇを含む行が、その一列目の画素が転写不可画素の場合（図１３（ｃ），（ｄ）における偶数行）、隣接するカラー画素は、同じ行の列数の大きい側に隣接するカラー画素Ｒｇとする。
【００７９】
図８に戻り、カラー画像データ送出部ＣＴ１は、（Ｓｔｅｐ１３）において上述のカラーインクＣＩＫの例えば五種の転写パターンＣＰＡ〜ＣＰＥから一つを選択設定する。
カラー画像データ送出部ＣＴ１は、転写パターンＣＰＡを選択設定した場合（Ｓｔｅｐ１４のＹｅｓ）、カラー画像データＳＮ１における各カラー画素Ｒｇに対応したイエロー成分，マゼンタ成分，及びシアン成分をそのまま用いてカラー転写画像データＳＮ１Ｂを生成する（Ｓｔｅｐ１５）。
【００８０】
カラー画像データ送出部ＣＴ１は、転写パターンＣＰＡ以外の転写パターンＣＰＢ〜ＣＰＥを選択設定した場合（Ｓｔｅｐ１４のＮｏ）、上述のように、成分分離方法を、例えば、間引き分離方法と平均分離方法とのいずれか一方に選択設定する（Ｓｔｅｐ１６）。
【００８１】
カラー画像データ送出部ＣＴ１は、カラー画像データＳＮ１に対し、選択設定した転写パターンＣＰ及び成分分離方法を適用して、カラー転写画像データＳＮ１Ｂを生成する（Ｓｔｅｐ１５）。
【００８２】
カラー転写画像データＳＮ１Ｂは、上述のように、インク層１１ＹのイエローインクＩＹで転写する画像の画像データＳＮ１Ｂｙ，インク層１１ＭのマゼンタインクＩＭで転写する画像の画像データＳＮ１Ｂｍ，及びインク層１１ＣのシアンインクＩＣで転写する画像の画像データＳＮ１Ｂｃを含むデータである。
【００８３】
カラー画像データ送出部ＣＴ１は、（Ｓｔｅｐ１３）及び（Ｓｔｅｐ１５）の、転写パターン及び成分分離方法の選択判断を、通信部３７を介した外部からの指示に基づいて行う。また、転写画像情報Ｊ３に選択判定情報Ｊ３ｂを含めておき、カラー画像データ送出部ＣＴ１が、外部からの指示の替わりに、選択判断を選択判定情報Ｊ３ｂに基づいて行うようにしてもよい。
【００８４】
選択判定情報Ｊ３ｂは、メタル画像データＳＮ２が透かし画像に対応する場合に、カラー画像データＳＮ１からカラー転写画像データＳＮ１Ｂを生成する際に適用する転写パターン及び成分分離方法を指定する情報である（図７に一点鎖線で記載）。
【００８５】
図８に戻り、制御部ＣＴは、（Ｓｔｅｐ１５）及び（Ｓｔｅｐ２３）によってカラー転写画像データＳＮ１Ｂ及び透かし転写画像データＳＮ２Ｂが生成されたら、まず、中間転写フィルム２１に、カラーインクＣＩＫを、カラー転写画像データＳＮ１Ｂにより転写し、カラー画像Ｐｄを転写形成する（Ｓｔｅｐ３）。
次に、メタルインクＳを、透かし転写画像データＳＮ２Ｂによってカラー画像Ｐｄに重畳して転写し、中間画像Ｐを転写形成する（Ｓｔｅｐ４）。
【００８６】
（Ｓｔｅｐ２）の通常転写、又は、（Ｓｔｅｐ３）及び（Ｓｔｅｐ４）の透かし転写を経て形成された中間画像Ｐは、カード素材３１ａに再度転写され（Ｓｔｅｐ５）、（Ｓｔｅｐ２）を経た場合は、光沢付きの形成画像Ｐｃとされる。また、（Ｓｔｅｐ４）を経た場合は、透かし部分付き形成画像Ｐｃｔとされる。
【００８７】
次に、転写装置５１による、カラー転写画像データＳＮ１Ｂ及び透かし転写画像データＳＮ２Ｂを用いた中間転写フィルム２１への具体的画像形成動作及び方法について、図１４〜図２４を参照して説明する。すなわち、図８の（Ｓｔｅｐ３）及び（Ｓｔｅｐ４）の動作及び方法である。
転写装置５１は、三色のカラーインクＣＩＫ及びメタルインクＳの転写動作それぞれにおいて、巻き戻し動作及び頭出し動作を行う。
【００８８】
以下に説明する動作手順は、中間転写フィルム２１のフレームＦ１に、中間画像Ｐを転写する手順である。
図１４及び図１５には、インクリボン１１の搬送方向（帯方向）に不動のサーマルヘッド１６と、サーマルヘッド１６の位置に対するインクリボン１１及び中間転写フィルム２１の位置と転写内容とが示されている。
また、転写動作で密着対向させているインクリボン１１のインク層１１ｂの面と中間転写フィルム２１の転写用受像層２１ｃの面とを、左右に並べて記載している。
【００８９】
まず、図１４に示されるように、イエローのインク層１１Ｙ１とフレームＦ１との位置合わせを頭出し動作で行う。
次いで、サーマルヘッド１６を圧接状態としてインクリボン１１と中間転写フィルム２１とを図１４の下方に密着移動させながら、インク層１１Ｙ１のイエローインクＩＹを、画像データＳＮ１ＢｙによってフレームＦ１に転写し、画像Ｙ（１）を形成する。
この密着移動は一つのフレーム分行う。送り方向は、インクリボン１１は巻きとり方向（順送り）となり、中間転写フィルム２１は巻き戻し方向（逆送り）となる。
形成された画像Ｙ（１）は、選択設定した転写パターンＣＰが、例えば転写パターンＣＰＢの場合、図１３（ｂ）に対応する市松模様状にイエローインクＩＹが転写された画像である。
【００９０】
図１５は、中間転写フィルム２１に画像Ｙ（１）を転写し終わった状態が示されている。
すなわち、中間転写フィルム２１のフレームＦ１には、イエローインクＩＹの画像Ｙ（１）が転写形成されている。
【００９１】
図１５に示されるように、インク層１１Ｙ１のイエローインクＩＹで画像Ｙ（１）を転写したフレームＦ１には、次に、インク層１１Ｍ１のマゼンタインクＩＭを、画像データＳＮ１Ｂｍによって画像Ｍ（１）として重畳転写する。
重畳転写される画像Ｍ（１）は、転写パターンＣＰＢの場合、図１３（ｃ）に対応する画像である。
【００９２】
画像Ｍ（１）の重畳転写では、まず、図１６に示されるように、マゼンタのインク層１１Ｍ１とフレームＦ１との位置合わせを頭出し動作で行う。
【００９３】
次いで、サーマルヘッド１６を圧接状態としてインクリボン１１と中間転写フィルムとを、図１６の下方に密着移動させながら、インク層１１Ｍ１のマゼンタインクＩＭを、フレームＦ１に画像データＳＮ１Ｂｍによる画像Ｍ（１）で重畳転写する。
これにより、フレームＦ１には、図１７に示される、画像Ｙ（１）と画像Ｍ（１）とが重畳した画像が形成される。
マゼンタインクＩＭは、転写パターンＣＰＢにおいて、画像Ｙ（１）におけるイエローインクＩＹが転写されていない画素に転写される。従って、マゼンタインクＩＭが重畳転写された段階での画素単位での転写状態は、転写パターンＣＰＢを適用した場合、図１８に示されるようになる。
【００９４】
同様にして、インク層１１Ｃ１のシアンインクＩＣを、フレームＦ１に、画像データＳＮ１ｃによる画像Ｃ（１）で重畳転写する。
これにより、フレームＦ１には、画像Ｙ（１）と画像Ｍ（１）と画像Ｃ（１）との重畳画像が形成される。
シアンインクＩＣが重畳転写された段階での画素単位での転写状態は、転写パターンＣＰＢを適用した場合、図１９に示されるようになる。
【００９５】
さらに、同様にして、インク層１１Ｓ１のメタルインクＳを、フレームＦ１に、メタル画像データ送出部ＣＴ２で生成した透かし転写画像データＳＮ２Ｂによる透かし転写合成画像ＰｔＧである画像Ｓ（１）で重畳転写する。
【００９６】
図２０には、四色目のメタルインクＳによる画像Ｓ（１）を転写し終えた状態が示されている。
すなわち、フレームＦ１には、画像Ｙ（１），画像Ｍ（１），画像Ｃ（１），及び画像Ｓ（１）が重畳転写されて、画像Ｐ（１）が中間画像Ｐとして形成されている。以下、中間画像Ｐを形成する最小画素を中間画像画素Ｐｇと称する。
メタルインクＳが重畳転写された段階での画素単位の転写状態は、転写パターンＣＰＢを適用した場合、透かし転写画像Ｐｔがない部分において、図２１に示されるようになる。図２１において、メタルインクＳを転写した中間画像画素Ｐｇにはハッチングが付与されている。
【００９７】
この状態での中間転写フィルム２１の模式的断面図が図２２に示される。
具体的には、中間転写フィルム２１に形成された中間画像Ｐにおける図２１の画素Ｐｇ２２及びＰｇ２３に対応する中間画像画素Ｐｇの模式的断面図である。
【００９８】
転写用受像層２１ｃには、昇華して転写されたイエローインクの染料ＹＩ（白ヌキ）、マゼンタインクの染料ＭＩ（通常ハッチ付与）、シアンインクの染料ＣＩ（クロスハッチ付与）、メタルインクＳの顔料ＳＩ（長方形）が受像されている。
メタルインクＳの顔料ＳＩは、転写順が最後であるため、転写用受像層２１ｃにおけるフィルムベース２１ａから遠い側に受像されている。
【００９９】
画像Ｐ（１）は、メタルインクＳが、透かし転写画像データＳＮ２Ｂに基づいて転写された画像である。
そのため、透かし転写画像Ｐｔに対応しない部分は、基本転写パターンＰｔＳに従い、メタルインクＳが転写された画素（画素Ｐｇ２２）に隣接する画素（画素Ｐｇ２３）には、メタルインクＳは転写されていない。
そして、メタルインクＳが転写された画素（画素Ｐｇ２２）には、マゼンタインクＩＭ及びシアンインクＩＣの転写が許容され、メタルインクＳが転写されていない画素（画素Ｐｇ２３）には、イエローインクＩＹの転写が許容される。
一方、透かし転写画像Ｐｔに対応した部分では、イエローインクＩＹが転写された画素にもメタルインクＳが重畳転写される。
【０１００】
フレームＦ２以降のフレームも、フレームＦ１に画像Ｐ（１）を形成したのと同様に、画像Ｐ（２）以降を形成することができる。
そして、各フレームＦに形成した中間画像Ｐの一部が、再転写装置５２によって、カード素材３１ａに再転写され、透かし部分付き形成画像Ｐｃｔとして転写形成される。
【０１０１】
図２３は、中間転写フィルム２１において、図２０に示された、フレームＦ１に形成された画像Ｐ（１）をカード素材３１ａに再転写した後の状態が示されている。
詳しくは、画像Ｐ（１）の一部が、カード素材３１ａに転写されて再転写範囲Ｐ（１）ｃ（点描部分）となっている。
【０１０２】
図２４は、再転写済みのカード３１の部分断面図である。図２４（ａ）は、透かし転写画像Ｐｔに対応していない部分であり、図２２に示された部分を再転写した状態を示す。また、図２４（ｂ）は、透かし転写画像Ｐｔに対応した部分の例を示している。
【０１０３】
図２４（ａ），（ｂ）に示されるように、未転写のカード３１であるカード素材３１ａの一面に、転写用受像層２１ｃが転写されている。
転写により、転写用受像層２１ｃのリボンベース１１ａとは反対側の面が、カード素材３１ａ側の面になるので、カード素材３１ａ側にメタルインクＳ（顔料ＳＩ）が位置する。
転写パターンＣＰＢの適用により、カード素材３１ａに形成された形成画像ＰｃにおいてメタルインクＳが転写された部分（画素Ｐｇ２２）には、メタルインクＳの顔料ＳＩの上に、シアンインクＩＣの染料ＣＩ及びマゼンタインクＩＭの染料ＭＩが載るようになっている。
また、メタルインクＳが転写されていない部分（画素Ｐｇ２３）には、イエローインクＩＹの染料ＹＩが受容される。
また、透かし転写画像Ｐｔに対応した画素については、図２４（ｂ）に示されるように、イエローインクＩＹの染料ＹＩは、メタルインクＳの顔料ＳＩの上に載るようになっている。
【０１０４】
図２５（ａ），（ｂ）は、それぞれ図２４（ａ），（ｂ）で断面図示されたカード３１に対し、一方向から光ＬＧが照射された状態を示す模式図である。
【０１０５】
図２５（ａ）において、メタルインクＳが転写されたメタルインク転写部Ａｃ（画素Ｐｇ２２を代表とする図１１でハッチングが付与された画素に対応する部分）は、光ＬＧを、狭指向性をもって概ね正反射し、反射光ＬＧａとして出光する。
この反射光ＬＧａは、マゼンタインクＩＭ及びシアンインクＩＣが光透過性を有することから、メタルインクＳの上に載っているマゼンタインクＩＭ及びシアンインクＩＣの色を反映した光沢色で視認される。
【０１０６】
メタルインクＳが転写されていないメタルインク非転写部Ａｄ（画素Ｐｇ２３を代表とする図１１でハッチングが付与されていない画素に対応する部分）は、光ＬＧがカード素材３１ａの表面に入光すると、イエローインクＩＹが光透過性を有することから、カード素材３１ａの表面に達し、その表面が樹脂板としての一般的な表面粗さを有することから乱反射する（乱反射光ＬＧｂ参照）。
【０１０７】
従って、観察者の目Ｅが、反射光ＬＧａの出光方向にあるとき、メタルインク転写部Ａｃは、メタルインク非転写部Ａｄに対し際立って明るく、金属光沢を有するカラー領域として視認される。
一方、観察者の目Ｅが、反射光ＬＧａの出光方向にないときは、目Ｅには、メタルインク転写部Ａｃからの反射光ＬＧａよりもメタルインク非転写部Ａｄからの乱反射光ＬＧｂの方がはるかに多く届く。そのため、相対的に、メタルインク転写部Ａｃは暗い領域として視認される。
【０１０８】
透かし転写画像Ｐｔの部分に対応した図２５（ｂ）においては、隣接画素ともどもメタルインクＳが転写されたメタルインク転写部Ａｃとされているので、観察者の目Ｅの視認方向が反射光の出向方向に概ね一致したときに、透かし転写画像Ｐｔを強い光沢画像として認識することができる。
【０１０９】
この光沢画像の性質から、透かし転写画像Ｐｔが光沢画像として視認できる視認方向から見たときの、その透かし転写画像Ｐｔの見え方は、図２６に示されるように、透かし転写画像Ｐｔの背景画像となるカラー画像Ｐｄの明度（濃度）によって異なる。
詳しくは、透かし部分付き形成画像Ｐｃｔにおいて、カラー画像Ｐｄが、図２６（ａ）に示されるような明度が低く（高濃度で）暗い画像の場合、図２６（ｂ）に示されるような明度が高く（低濃度で）明るい画像の場合より、透かし転写画像Ｐｔは、視認方向により、相対的にカラー画像Ｐｄよりも明るい領域として視認され得る。
以下、この図２６（ａ）に示されるような、透かし転写画像Ｐｔが周囲に対して明るく見える状態を、便宜的に正光沢状態と称する。
【０１１０】
また、透かし転写画像Ｐｔが光沢画像として視認しにくい視認方向から見たときの、その透かし転写画像Ｐｔの見え方も、図２７に示されるように、透かし転写画像Ｐｔの背景画像となるカラー画像Ｐｄの明度（濃度）によって異なる。
詳しくは、透かし部分付き形成画像Ｐｃｔにおいて、カラー画像Ｐｄが、図２７（ａ）に示されるような明度が低く（高濃度で）暗い部分である場合よりも、図２７（ｂ）に示されるような明度が高く（低濃度で）明るい部分であった場合の方が、透かし転写画像Ｐｔは、周囲に対してよりはっきりと暗い領域として明瞭に視認され得る。
以下、この図２７（ｂ）に示されるような、透かし転写画像Ｐｔが周囲に対して暗く見える状態を、便宜的に負光沢状態と称する。
【０１１１】
次に、透かし部分付き形成画像Ｐｃｔを、基本転写パターンＰｔＳを用いることなく透かし転写画像ＰｔのみをメタルインクＳで転写形成した場合と、基本転写パターンＰｔＳと透かし転写画像Ｐｔとを合成した透かし転写合成画像ＰｔＧによってメタルインクＳで転写形成した場合と、での、透かし転写画像Ｐｔの見え方の違いを説明する。
この説明において、図２５及び概念図である図２８〜図３３を参照する。
【０１１２】
この説明において、カード素材３１ａに形成された透かし部分付き形成画像Ｐｃｔは、透かし転写画像Ｐｔとしての「Ｎ」の文字と、文字「Ｎ」を含む所定範囲に、文字「Ｎ」の背景画像として無光沢のカラー画像Ｐｄと、から構成されているものとする。
【０１１３】
図２８及び図２９は、カラー画像Ｐｄの明度が十分に高い場合（低濃度の場合）であって、図２８は、基本転写パターンＰｔＳを用いない場合、図２９は用いた場合を示す。
図３０及び図３１は、カラー画像Ｐｄの明度が十分に低い場合（高濃度の場合）であって、図３０は、基本転写パターンＰｔＳを用いない場合、図３１は用いた場合を示す。
図３２及び図３３は、明度が上記二つの中間の場合（中濃度の場合）であって、図３２は、基本転写パターンＰｔＳを用いない場合、図３３は用いた場合を示す。
【０１１４】
まず、図２８及び図２９のカラー画像Ｐｄの明度が高い場合（低濃度の場合）について説明する。
図２８（ａ），図２９（ａ）は、視認方向が透かし転写画像Ｐｔの反射方向とは異なる場合（以下、「＊方向」と表記）であり、図２８（ｂ），図２９（ｂ）は、概ね一致する場合（以下、「○方向」と表記）である。
図２８（ｃ），図２９（ｃ）は、＊方向と○方向との状態それぞれにおける、カラー画像Ｐｄ及び透かし転写画像Ｐｔの視認される明度（以下、視認明度と称する）を示すグラフである。
【０１１５】
明度によらない共通の振る舞いとして、基本転写パターンＰｔＳを用いない場合、カラー画像Ｐｄは、カラーインクＣＩＫのみで表現され、図２５（ａ）におけるメタルインク非転写部Ａｄに相当する振る舞いをする。
すなわち、カラー画像Ｐｄは、乱反射光ＬＧｂによって視認される。そのため、カラー画像Ｐｄの視認明度は、視認方向によらずほぼ一定となる。
これに対し、透かし転写画像Ｐｔは、概ね正反射するため、視認方向によって視認明度が大きく変化する。
【０１１６】
一方、基本転写パターンＰｔＳを用いた場合、カラー画像Ｐｄは、カラーインクＣＩＫとメタルインクＳとの両方で表現される。そして、メタルインクＳの基本転写パターンＰｔＳが市松模様状であることから、面積として半分がメタルインク転写部Ａｃ相当の、残り半分がメタルインク非転写部Ａｄ相当の振る舞いをする。
すなわち、カラー画像Ｐｄは、乱反射光ＬＧｂで視認される面積が、基本転写パターンＰｔＳを用いない場合と比べて半分となる。
これにより、カラー画像Ｐｄの視認明度は、視認方向によって異なるものとなる。
【０１１７】
この振る舞いに基づいて、各明度での透かし転写画像Ｐｔの見え方の違いを説明する。
まず、カラー画像Ｐｄの明度が高い場合（低濃度の場合）について説明する（図２８及び図２９参照）。
【０１１８】
図２８に示される、明度が十分に高く基本転写パターンＰｔＳを用いない場合において、＊方向では、透かし転写画像Ｐｔの視認明度は、カラー画像Ｐｄの視認明度よりも顕著に低く、差分ΔＰｔ１の分だけ負光沢状態として視認される
○方向では、透かし転写画像Ｐｔの視認明度はその全面が正反射することにより大幅に増加し、カラー画像Ｐｄの視認明度よりも顕著に高く、差分ΔＰｔ２の分だけ正光沢状態として視認される。
【０１１９】
一方、図２９に示される、明度が高く基本転写パターンＰｔＳを用いた場合において、
詳しくは、＊方向では、カラー画像Ｐｄの視認明度は、乱反射光ＬＧｂの領域が半分になることから減少して、透かし転写画像Ｐｔの視認明度よりわずかに大きいだけの値となる。
カラー画像Ｐｄと透かし転写画像Ｐｔとの視認明度の差分ΔＰｔ３は、生じるものの僅かな値となるから、透かし転写画像Ｐｔは実質的に視認されない。
【０１２０】
○方向では、カラー画像Ｐｄの視認明度は、反射光ＬＧａの領域を半分有することから増加するものの、乱反射光ＬＧｂ分を加味しても、全領域が反射光ＬＧａを出光する透かし転写画像Ｐｔの視認明度に対しては、その半分をやや超える程度の値となる。
従って、差分ΔＰｔ４は大きく生じて、透かし転写画像Ｐｔは良好に視認される。
【０１２１】
このように、カラー画像Ｐｄの明度が高く、かつ基本転写パターンＰｔＳを用いない場合、透かし転写画像Ｐｔは、視認方向によらず視認される状態にあって、透かし効果が得られない。
これに対し、基本転写パターンＰｔＳを適用することで、視認方向によって透かし転写画像Ｐｔの視認不可と視認可との二つの状態が生じ、良好な透かし効果が得られる。また、視認可能な状態は、背景となるカラー画像Ｐｄとの視認明度差が大きい正光沢状態であるから、透かし効果は高品位である。
【０１２２】
次に、カラー画像Ｐｄの明度が低い場合（高濃度の場合）について説明する（図３０及び図３１参照）。
【０１２３】
図３０に示される、明度が低く基本転写パターンＰｔＳを用いない場合、カラー画像ＰｄはカラーインクＣＩＫのみで表現され、図２５（ａ）のメタルインク非転写部Ａｄに相当する振る舞いをする。
すなわち、カラー画像Ｐｄは、乱反射光ＬＧｂによって視認され、カラー画像Ｐｄの視認明度は、視認方向によらず低明度でほぼ一定となる。
これに対し、透かし転写画像Ｐｔは、視認方向によって視認明度が大きく変化する。
【０１２４】
詳しくは、＊方向では、透かし転写画像Ｐｔの視認明度は、カラー画像Ｐｄの視認明度と同等程度であり、差分ΔＰｔ５の分だけ負光沢状態となる。しかしながら、差分ΔＰｔ５はわずかであって、透かし転写画像Ｐｔは実質的に視認されない。
【０１２５】
○方向では、透かし転写画像Ｐｔの視認明度はその全面が正反射することで大幅に増加し、カラー画像Ｐｄの視認明度よりも顕著に高く、差分ΔＰｔ６の分だけ正光沢状態として視認される。
【０１２６】
一方、図３１に示される、明度が低く基本転写パターンＰｔＳを用いた場合、カラー画像Ｐｄの視認明度は、カラー画像Ｐｄの明度が高い場合と同様に、視認方向によって異なるものとなる。
詳しくは、＊方向では、カラー画像Ｐｄの視認明度は、元々の明度が十分に低いことから、透かし転写画像Ｐｔの視認明度よりもやや小さい値となる。両者の差分ΔＰｔ７は生じるもののわずかであるから、透かし転写画像Ｐｔは実質的に視認されない。
【０１２７】
○方向の場合、カラー画像Ｐｄの視認明度は、反射光ＬＧａの領域を半分有することから増加するものの、乱反射光ＬＧｂ分を加味しても、全領域が反射光ＬＧａを出光する透かし転写画像Ｐｔの視認明度の半分をやや超える程度となる。
従って、差分ΔＰｔ８は大きく生じて、透かし転写画像Ｐｔは正光沢状態で良好に視認される。
【０１２８】
このように、カラー画像Ｐｄの明度が低く、基本転写パターンＰｔＳを用いない場合、透かし転写画像Ｐｔは、視線方向によって視認不可と視認可の二つの状態が生じ、透かし効果が得られる。
また、基本転写パターンＰｔＳを用いても、○方向では、透かし転写画像Ｐｔとカラー画像Ｐｄとの視認明度の差分ΔＰｔ８が、基本転写パターンＰｔＳを用いない場合の差分ΔＰｔ６より小さいものの、透かし転写画像Ｐｔを視認するには十分に得られる。
従って、透かし転写画像Ｐｔの透かし効果は維持される。
【０１２９】
このように、カラー画像Ｐｄの明度が低い場合には、基本転写パターンＰｔＳの適用有無に拘わらず、視認方向によって、透かし転写画像Ｐｔの視認不可と視認可のふたつの状態が生じ、良好な透かし効果が得られる。また、視認可能な状態は、背景となるカラー画像Ｐｄとの視認明度差が大きい正光沢状態であるから、透かし効果は高品位である。
【０１３０】
次に、カラー画像Ｐｄの明度が、中間の場合（中濃度の場合）について説明する（図３２及び図３３参照）。
【０１３１】
図３２に示される、中間明度で基本転写パターンＰｔＳを用いない場合、カラー画像Ｐｄの視認明度は、視認方向によらず、中程度の明度でほぼ一定となる。
これに対し、透かし転写画像Ｐｔは、視認方向によって視認明度が大きく変化する。
【０１３２】
詳しくは、＊方向では、透かし転写画像Ｐｔの視認明度は、カラー画像Ｐｄの視認明度より低く、差分ΔＰｔ９の分だけ負光沢状態となる。この差分ΔＰｔ９は、透かし転写画像Ｐｔが負光沢状態で視認され得る値である。
○方向では、透かし転写画像Ｐｔの視認明度は、その大幅に増加し、カラー画像Ｐｄの視認明度よりも顕著に高く、差分ΔＰｔ１０の分だけ正光沢状態として視認される。
【０１３３】
一方、図３３に示される中間明度で基本転写パターンＰｔＳを用いた場合、カラー画像Ｐｄの視認明度は、カラー画像Ｐｄの明度が高い場合と同様に、視認方向によって異なるものとなる。
詳しくは、＊方向において、カラー画像Ｐｄの視認明度は、カラー画像Ｐｄの明度が高い場合と低い場合との中間の、透かし転写画像Ｐｔの視認明度とほぼ同じ値となる。両者の差分ΔＰｔ１１は、小さい値となり、透かし転写画像Ｐｔは実質的に視認されない。
【０１３４】
○方向では、カラー画像Ｐｄの視認明度は、カラー画像Ｐｄの明度が高い場合と低い場合との中間の値となる。
従って、差分ΔＰｔ１２は、ある程度の値が生じて透かし転写画像Ｐｔは正光沢状態で視認される。
【０１３５】
このように、カラー画像Ｐｄの明度が中間的な値で、かつ基本転写パターンＰｔＳを用いない場合、透かし転写画像Ｐｔは、視認方向によらず視認できる状態にあって、透かし効果が得られない。
これに対し、基本転写パターンＰｔＳを適用することで、視認方向によって透かし転写画像Ｐｔの視認不可と視認可との二つの状態が生じ、良好な透かし効果が得られる。また、視認可能な状態は、背景となるカラー画像Ｐｄとの視認明度差が大きい正光沢状態であるから、透かし効果は高品位である。
【０１３６】
上述のように、カラー画像Ｐｄの転写に基本転写パターンＰｔＳを適用することで、背景画像であるカラー画像Ｐｄの明度によらず、透かし転写画像Ｐｔの良好な透かし効果が得られる。
【０１３７】
ところで、カラー画像の転写に基本転写パターンＰｔＳを適用すると、上述のように、面積としてカラー画像Ｐｄの約半分の領域がメタルインク転写部Ａｃとされる。
そのため、カラー画像Ｐｄの内容によっては、基本転写パターンＰｔＳを適用しない場合と比較して、視認方向での色の見え方が、特に明るさの点で調整が望まれる程度に異なる場合も想定される。
例えば、メタルインク転写部Ａｃを有することで、＊方向において色が必要以上に暗く見える虞がある。
【０１３８】
そこで、図１２を参照して説明したように、転写パターンＣＰとして、通常の転写パターンＣＰＡに加えて複数の転写パターンＣＰＢ〜ＣＰＥを用意し、所望の色の見え方を調整できるよう選択設定可能としている。
特に、転写パターンＣＰＢ及びＣＰＣは、イエロー，マゼンタ，シアンの各インクの内、最も明度の高いイエローインクＩＹを転写する画素を、他のマゼンタインクＩＭ及びシアンインクＩＣを転写する画素と異ならせて分離転写するものといる。
これにより、カラー画像Ｐｄを明るく視認させる調整が容易になっている。
【０１３９】
さらに、転写パターンＣＰＢは、メタル非転写画素Ｍｇｎに最も明度の高いイエローインクＩＹのみを転写させるので、カラー画像Ｐｄの視認明度向上が効果的に図れる。
【０１４０】
以上詳述したように、実施例１の印刷装置ＰＲによれば、透かし効果を発揮させる透かし転写画像Ｐｔの背景となるカラー画像Ｐｄの転写形成において、透かし転写画像Ｐｔを含む領域について、メタルインクＳの転写画素を分散して平均的に混在させる基本転写パターンＰｔＳを適用するようになっている。
【０１４１】
これにより、カードなどの転写体に再転写形成した透かし部分付きカラー画像は、背景となるカラー画像Ｐｄの明度（濃度）によらず、視認方向に応じて透かし転写画像Ｐｔの視認可能状態と実質的に視認困難な視認不可状態とが生じ、良好な透かし効果が得られる。
また、視認可能状態は、常に正光沢状態となり、背景との間で十分な明度差が生じるので、高品位の透かし効果が得られる。
また、良好な透かし部分付きカラー画像が表面に形成されたカードを製造することができる。
【０１４２】
（実施例２）
実施例１は、印刷装置ＰＲとして、制御部ＣＴに画像データ送出部ＣＴｂを有する例を説明したが、これに限定されるものではない。
画像データ送出部ＣＴｂを外部のコンピュータ６１に備え、そのコンピュータ６１と印刷装置とで印刷システムを構成してもよい。
実施例２として、その印刷システムの一例である印刷システムＳＹを説明する。印刷システムＳＹの概略構成は図３４に示される。
【０１４３】
印刷システムＳＹは、印刷装置ＰＲＡとコンピュータ６１とを含んで構成される。
印刷装置ＰＲＡは、実施例１の印刷装置ＰＲに対し、制御部ＣＴの替わりに、画像データ送出部ＣＴｂを有していない制御部ＣＴＡを備える点のみが異なる。
すなわち、印刷装置ＰＲＡは、中央処理装置ＣＴａを有する制御部ＣＴＡ，記憶部ＭＲ，転写装置５１，及び再転写装置５２を備えている。
【０１４４】
一方、コンピュータ６１は、中央処理装置６３及び記憶部ＭＲと、印刷装置ＰＲＡを駆動するためのプリンタドライバ６２と、を有する。コンピュータ６１は、プリンタドライバプログラムに基づく中央処理装置６３の制御によって、印刷装置ＰＲＡに画像データを送出する動作を実行するようになっている。
プリンタドライバ６２は、印刷装置ＰＲにおける画像データ送出部ＣＴｂに相当するブロックを有する。
すなわち、プリンタドライバ６２は、カラー画像データ送出部ＣＴ１と、メタル画像データ送出部ＣＴ２とを有する。
カラー転写画像データＳＮ１Ａ，ＳＮ１Ｂは、プリンタドライバ６２のカラー画像データ送出部ＣＴ１で生成される。
メタル転写画像データＳＮ２Ａ及び透かし転写画像データＳＮ２Ｂは、メタル画像データ送出部ＣＴ２で生成される。
【０１４５】
カラー転写画像データＳＮ１Ａ，ＳＮ１Ｂ、並びに、メタル転写画像データＳＮ２Ａ及び透かし転写画像データＳＮ２Ｂは、印刷装置ＰＲＡに向けて有線又は無線で送出される。
印刷装置ＰＲＡとコンピュータ６１とは、例えばインターネット回線を介して接続される。
【０１４６】
コンピュータ６１におけるカラー転写画像データＳＮ１Ｂ及び透かし転写画像データＳＮ２Ｂの生成と、印刷装置ＰＲＡにおける転写動作及び再転写動作の実行とは、連続的に実行されるものでなくてよい。
カラー転写画像データＳＮ１Ｂ及び透かし転写画像データＳＮ２Ｂの生成方法は実施例１と同じであり、印刷装置ＰＲＡにおける転写及び再転写動作も実施例１の印刷装置ＰＲと同じであり、実施例１と同様の効果が得られる。
【０１４７】
本発明の実施例は、上述した構成及び手順に限定されるものではなく、本発明の要旨を逸脱しない範囲において変形例としてもよい。
【０１４８】
基本転写パターンＰｔＳは、上述の市松模様状が好ましいが、市松模様状に限定されるものではない。メタル転写画素Ｍｇｙとメタル非転写画素Ｍｇｎとが、それぞれ分散して平均的に混在するパターンであればよい。
カラー画像Ｐｄにおいて基本転写パターンＰｔＳを適用する領域は、カラー画像Ｐｄの全体でなくてよい。少なくとも透かし転写画像Ｐｔを含むその近傍領域であればよい。
【０１４９】
また、透かし転写画像Ｐｔは、カラー画像Ｐｄ内に複数設けてよい。その場合、基本転写パターンＰｔＳを適用する領域は、複数の透かし転写画像Ｐｔを含むように、或いは、それぞれの透かし転写画像Ｐｔに対応したものとして設定することができる。
後者の場合、それぞれの領域の転写パターンＣＰを同じパターンとしてよく、或いは、背景となる画像の内容や透かし転写画像Ｐｔの内容に応じて異なる転写パターンＣＰとしてもよい。
【０１５０】
インクリボンは、三色（イエロー，マゼンタ，及びシアン）のカラーインクＣＩＫとメタルインクＳとの合計四色のインク層を有するものとして説明したが、四色（イエロー，マゼンタ，シアン，及びブラック）のカラーインクＣＩＫとメタルインクＳとの合計五色のインク層を有するものであってもよい。
この五色のインク層を有するインクリボンを用いた場合の動作は、ブラックインクの重畳転写動作が１回増えるのみであって、他については四色のインクリボン１１の場合と同様に実行できる。
【０１５１】
印刷装置ＰＲ，ＰＲＡは、再転写方式の印刷装置であるが、再転写部ＳＴ１を利用せず、インクリボン１１からの転写による形成画像を有する製品（カードなどの被印刷物）を製造する転写装置であってもよい。
詳しくは、例えば、中間転写フィルム２１の転写済みのフレームＦを所定の形状に切り出して、フィルム状カードとする転写装置であってもよい。また、中間転写フィルム２１の替わりにカードなどの転写体に直接転写する転写装置であってもよい。
【０１５２】
これらの再転写をせずに被印刷物としての製品を得る転写装置において、インクリボン１１から各インクを重畳転写する転写体が光透過性の場合、印刷装置ＰＲ，ＰＲＡにおける転写動作と同様に、カラーインクＣＩＫを転写した後にメタルインクＳを転写させる。
これにより、転写体を、転写した側の面とは反対側から見た場合に、光沢画像を視認できる。
【０１５３】
一方、インクリボン１１から各インクを重畳転写する転写体が光不透過性の場合、最初にメタルインクＳで光沢画像を転写し、その後、各カラーインクＣＩＫの画像を転写する。
これにより、形成した画像は、転写体に最も近い側にメタルインクＳがあり、そのメタルインクＳ上にカラーインクＣＩＫが載った構造となる。
そのため、転写した側から見た場合に光沢画像を視認することができる。
【符号の説明】
【０１５４】
１１  インクリボン
１１Ｙ  （イエローインクＩＹの）インク層
１１Ｍ  （マゼンタインクＩＭの）インク層
１１Ｃ  （シアンインクＩＣの）インク層
１１Ｓ  （メタルインクＳの）インク層
１１ａ  リボンベース、    １１ｂ  インク層、        １１ｂ１  インク組
１２  供給リール、    １３  巻き取りリール、    １４  ガイドシャフト
１５  インクリボンセンサ
１６  サーマルヘッド
１６ａ  発熱抵抗体、        １６ｂ  ヘッドドライバ
２１  中間転写フィルム
２１ａ  フィルムベース、    ２１ｂ  剥離層、    ２１ｃ  転写用受像層
２２  供給リール、    ２３  巻き取りリール、    ２４  ガイドシャフト
２５  フレームマークセンサ、    ２６  プラテンローラ
３１  カード、    ３１ａ  カード素材
３２  スタッカ    ３７  通信部（入力部）、３８  データ機器
５１  転写装置、    ５２  再転写装置
６１  コンピュータ、    ６２  プリンタドライバ
Ａｃ  メタルインク転写部、    Ａｄ  メタルインク非転写部
ＣＰ，ＣＰＡ〜ＣＰＥ  転写パターン
ＣＴ，ＣＴＡ  制御部
ＣＴａ，６３  中央処理装置（ＣＰＵ）、        ＣＴｂ  画像データ送出部
ＣＴ１  カラー画像データ送出部、    ＣＴ２  メタル画像データ送出部
Ｄ１６  ヘッド離接駆動部
Ｆ,Ｆ１  フレーム
ＩＹ  イエローインク、    ＩＭ  マゼンタインク、    ＩＣ  シアンインク
Ｊ１  リボンマーク検出情報、    Ｊ２  フレームマーク検出情報
Ｊ３  転写画像情報
Ｊ３ａ  透かし画像情報、    Ｊ３ｂ  選択判定情報
Ｌａ  長さ、    ＬＧ  光、    ＬＧａ  反射光、    ＬＧｂ  乱反射光
ＬＮａ  ライン数、    Ｌａｐ，Ｌｂ  ピッチ
Ｍ，ＭＲＳ  マトリックス
Ｍｇ  メタル画素
Ｍｇｙ  メタル転写画素、    Ｍｇｎ  メタル非転写画素
Ｍ１２，Ｍｔ１３，Ｍｔ２２，Ｍｔ２３，Ｍｔ２６  モータ
ＭＲ  記憶部
Ｐ  中間画像、    Ｐｃ  画像（形成画像）
Ｐｃｔ  透かし部分付き形成画像、      Ｐ（１）ｃ  再転写範囲
Ｐ（１），Ｙ（１），Ｍ（１），Ｃ（１），Ｓ（１）  画像
Ｐｄ  カラー画像、    Ｐｇ  中間画像画素、    Ｐｔ  透かし転写画像
ＰＲ，ＰＲＡ  印刷装置、    ＰＲａ  筐体
ＰｔＧ  透かし転写合成画像
ＰｔＳ  （メタルインクＳの）基本転写パターン
Ｒｇ  カラー画素
ＳＮ１  カラー画像データ、    ＳＮ１Ａ，ＳＮ１Ｂ  カラー転写画像データ
ＳＮ２  メタル画像データ、    ＳＮ２Ａ  メタル転写画像データ
ＳＮ２Ｂ  透かし転写画像データ、    ＳＮｓ  メタルパターンデータ
ＳＮ１ｙ，ＳＮ１ｍ，ＳＮ１ｃ，ＳＮ１Ｂｙ，ＳＮ１Ｂｍ，ＳＮ１Ｂｃ  画像データ
ＳＴ１  再転写部、    ＳＴ２  供給部、    ＳＴ２ａ  姿勢転換部
ＳＴ３  搬出部
ＳＹ  印刷システム
ＹＩ  （イエローインクの）染料、    ＭＩ  （マゼンタインクの）染料
ＣＩ  （シアンインクの）染料、        ＳＩ  （メタルインクの）顔料
ＣＩＫ  カラーインク、    Ｓ  メタルインク
ΔＰｔ１〜ΔＰｔ１２  （視認明度の）差分
【図１】
0006529168.tif 000002
【図２】
0006529168.tif 000003
【図３】
0006529168.tif 000004
【図４】
0006529168.tif 000005
【図５】
0006529168.tif 000006
【図６】
0006529168.tif 000007
【図７】
0006529168.tif 000008
【図８】
0006529168.tif 000009
【図９】
0006529168.tif 000010
【図１０】
0006529168.tif 000011
【図１１】
0006529168.tif 000012
【図１２】
0006529168.tif 000013
【図１３】
0006529168.tif 000014
【図１４】
0006529168.tif 000015
【図１５】
0006529168.tif 000016
【図１６】
0006529168.tif 000017
【図１７】
0006529168.tif 000018
【図１８】
0006529168.tif 000019
【図１９】
0006529168.tif 000020
【図２０】
0006529168.tif 000021
【図２１】
0006529168.tif 000022
【図２２】
0006529168.tif 000023
【図２３】
0006529168.tif 000024
【図２４】
0006529168.tif 000025
【図２５】
0006529168.tif 000026
【図２６】
0006529168.tif 000027
【図２７】
0006529168.tif 000028
【図２８】
0006529168.tif 000029
【図２９】
0006529168.tif 000030
【図３０】
0006529168.tif 000031
【図３１】
0006529168.tif 000032
【図３２】
0006529168.tif 000033
【図３３】
0006529168.tif 000034
【図３４】
0006529168.tif 000035